【手続補正書】
【提出日】平成15年6月3日(2003.6.3)
【手続補正１】
【補正対象書類名】明細書
【補正対象項目名】請求項４
【補正方法】変更
【補正の内容】
【請求項４】
現像剤持ち上げ手段は、現像剤搬送部材で搬送された現像剤を磁力で着磁する複数極を有する第１の回転磁石ローラーと、この第１の回転磁石ローラーの捕集した現像剤を該第１の回転磁石ローラーから回収する現像剤搬送羽根ローラーと、この現像剤搬送羽根ローラーで回収した現像剤を捕集する第２の回転磁石ローラーと、この第２の回転磁石ローラーから回収した現像剤を現像スリーブローラーの捕集位置に導くスクレーパーとを備えていることを特徴とする請求項２記載の画像形成装置。
【手続補正２】
【補正対象書類名】明細書
【補正対象項目名】０００２
【補正方法】変更
【補正の内容】
【０００２】
【従来の技術】
従来、画像形成体に対する画像書き込みレーザー光路を略水平に配置している画像形成装置では、現像装置に対する現像剤（以下、トナーと略称する）補給方式は、装置の小型化のために上記画像書き込みレーザー光路と交差して上部分にトナー補給ホッパー部（以下、ホッパー部と略称する）を設け、トナーを自重で落下補給するものが主であった。


【手続補正３】
【補正対象書類名】明細書
【補正対象項目名】０００３
【補正方法】変更
【補正の内容】
【０００３】
【発明が解決しようとする課題】
しかしながら、画像書き込みレーザー光路と交差して上部分にホッパー部を構成した場合、ホッパー部と現像装置を結ぶトナー搬送路をメンテナンスの為に分割しなければならず、画像形成装置、現像装置のメンテナンス時、現像装置を画像形成装置から引き出す際に、両装置の分割部のトナーシール部からのトナー漏れが発生していた。またホッパー部を分割すると、ホッパー部の駆動を独立して構成しなければならず、ホッパー部を含めた現像装置全体のコストアップにつながるという課題があった。


【手続補正４】
【補正対象書類名】明細書
【補正対象項目名】０００９
【補正方法】変更
【補正の内容】
【０００９】
（４）現像剤持ち上げ手段は、現像剤搬送部材で搬送された現像剤を磁力で着磁する複数極を有する第１の回転磁石ローラーと、この第１の回転磁石ローラーの捕集した現像剤を該第１の回転磁石ローラーから回収する現像剤搬送羽根ローラーと、この現像剤搬送羽根ローラーで回収した現像剤を捕集する第２の回転磁石ローラーと、この第２の回転磁石ローラーから回収した現像剤を現像スリーブローラーの捕集位置に導くスクレーパーとを備えていることを特徴とする請求項２記載の画像形成装置。


【手続補正５】
【補正対象書類名】明細書
【補正対象項目名】００１６
【補正方法】変更
【補正の内容】
【００１６】
そして、感光体ドラム５上のトナー画像は、シート給送部２のレジストローラー対２６によりタイミングを合わせて搬送されてきたシートに対し、転写帯電ローラー９によって転写される。続いて、感光体ドラム５の残留トナーはクリーニングブレード１０によって除去され、不図示の除電装置により感光体ドラム５上の残留電荷が除電され、次の画像形成に供される。
【手続補正６】
【補正対象書類名】明細書
【補正対象項目名】００１８
【補正方法】変更
【補正の内容】
【００１８】
なお、この実施の形態の画像形成装置では、上述のようにリーダースキャナー部３で読み取った原稿の画像に基づくレーザー光を、露光装置７から照射することによりコピー機として機能し、または不図示のコンピュータ等からの画像データや印字コマンド等を入力して、当該画像データに基づくレーザー光を露光装置７から照射することによりプリンタとして機能し、あるいは電話回線等を介して不図示の他の端末機からのファクシミリ画像データを入力して、当該画像データに基づくレーザー光を露光装置７から照射することによりファクシミリ受信機として機能することになる。


【手続補正７】
【補正対象書類名】明細書
【補正対象項目名】００１９
【補正方法】変更
【補正の内容】
【００１９】
シート給送部２は、シートを積載収容する２段の給送カセット２１，２１を有しており、各給送カセット２１の上方には、給送カセット２１内の最上位のシートに当接して図１の右方向に給送するためのピックアップローラー２３と、ピックアップローラー２３により送り出されたシートを画像形成部１に連なるシート搬送路へ送り出す搬送分離ローラー２４と、画像形成部１の前段に配置され、感光ドラム５の回転動作と同期して回転するレジストローラー対２６とを備えている。なお、各給送カセット２１の内部には、シートをピックアップローラー２３の位置まで持ち上げるリフター板２２が設けられている。


【手続補正８】
【補正対象書類名】明細書
【補正対象項目名】００２０
【補正方法】変更
【補正の内容】
【００２０】
リーダースキャナー部３は、図４に示すように、原稿が載置される原稿台ガラス３ａ、この原稿台ガラス３ａの上方に回動可能に設けられた原稿圧板３ｂを有する。そして、不図示であるが、原稿台ガラス３ａの下方の装置本体内には、原稿読み取り用の光源、第１ミラーを有する第１ミラー台、９０度に配置した光路折曲げミラー２枚を有し第１ミラーからの光線を略反対方向に折り曲げる第２ミラー台、第２ミラー台からの光線を集光するレンズ、レンズからの光線を光電変換するＣＣＤ等の画像読取手段等を備えた画像読取部がユニット構成されて配置されている。


【手続補正９】
【補正対象書類名】明細書
【補正対象項目名】００２１
【補正方法】変更
【補正の内容】
【００２１】
シート排出部４は、画像形成部１の上方に配置され、画像形成部１で画像形成されたシートを、上方のリーダースキャナー部３と画像形成部１との間の装置本体の壁面で囲まれて形成された空間部（以下、胴内空間部と称する）内に排出するようになっている。具体的には、上述のような画像形成プロセスを経て画像形成部１の定着装置１１を通過したシートは、搬送ローラ対２５を通過し上述の胴内空間部に排出される。


【手続補正１０】
【補正対象書類名】明細書
【補正対象項目名】００３１
【補正方法】変更
【補正の内容】
【００３１】
反時計方向に回転する十字羽根形状のローラー１６で搬送されてトナーを、第２の回転磁石ローラー１４ａに磁力で捕集させる。この捕集されたトナーはスクレーパー１５ａにより現像スリーブローラー１２の下部に搬送され、現像スリーブローラー１２の内部に設けられた磁石ローラーの磁力で現像スリーブローラー表面に捕集される。捕集されたトナーは現像スリーブローラー１２の回転によって、磁性ブレード１３の部分に搬送蓄積されて電荷を蓄える。現像スリーブローラー表面に捕集されたトナーは、反時計方向に回転する感光ドラム５に形成された潜像を現像して可視像化する。


【手続補正１１】
【補正対象書類名】明細書
【補正対象項目名】００３２
【補正方法】変更
【補正の内容】
【００３２】
【発明の効果】
以上のように、本発明によれば、画像書き込み手段の光路の下方に現像装置本体の現像剤補給口を設けて構成したので、画像書き込み手段の光路で現像剤補給ホッパー部を分離することがなく、現像剤補給時における現像剤の漏れを減少させ、光学パーツの汚れを減少させる事が出来る。また、密閉系でトナー飛散の少ない、トナー収納量の自由度を上げた現像装置を得ることができるという効果がある。


【手続補正１２】
【補正対象書類名】明細書
【補正対象項目名】００３５
【補正方法】変更
【補正の内容】
【００３５】
本発明によれば、現像剤持ち上げ手段は、トナー搬送部材で搬送された現像剤を磁力で着磁する複数極を有する第１の回転磁石ローラーと、この第１の回転磁石ローラーの捕集した現像剤を回収する現像剤搬送羽根ローラーと、この現像剤搬送羽根ローラーで回収した現像剤を捕集する第２の回転磁石ローラーと、この第２の回転磁石ローラーから回収した現像剤を現像スリーブローラーの捕集位置に導くスクレーパーとを備えて構成したので、現像スリーブローラーへ下方からトナーの持ち上げが該現像スリーブローラーの幅全域に均一に行える。この結果、補給式の汲み上げ現像装置が容易に構成でき、装置全体のランニングコストを下げることが容易になるという効果がある。